(57)【特許請求の範囲】
【請求項１】
ソフト格納済の商品としてのディスクを収納したディスクケース(D)を正面向きの姿勢で載置可能とする座板(2)と、座板の後縁に沿って起立する着脱自在な高壁部材(3)とを備えた展示スタンドであり、
座板(2)の幅方向に間隔をあけて開設した嵌合孔(15)(15)に対して、高壁部材(3)の基板部(3a)の下面に設けた嵌合片(16)(16)を嵌合する構成とされ：前記嵌合孔(15)は、相互に連通する幅広部(15a)と幅狭部(15b)を座板(2)の幅方向に向けて連設し、前記嵌合片(16)は、前記幅狭部(15b)に挿通自在な脚部(16a)と、該脚部(16a)の下面に連設され前記幅広部(15a)に挿通自在であるが前記幅狭部(15b)に挿通不能な平板部(16b)とを備え、前記平板部(16b)を幅広部(15a)に挿通した状態から高壁部材(3)を座板(2)の幅方向に移動することにより、脚部(16a)を幅狭部(15a)に圧入すると共に、平板部(16b)を幅狭部(15b)の下面に抜止状に掛止するように構成されており、
更に、前記嵌合孔(16)(16)の間において座板(2)から上方に突出する突起(17)に対して、前記嵌合片(16)(16)の間において高壁部材(3)の基板部(3a)に設けた切欠部(18)を嵌合せしめる構成とされ：前記平板部(16b)を幅広部(15a)に挿通した状態で突起(17)を基板部(3a)の下面に当接し該基板部(3a)を変形させ、高壁部材(3)を座板(2)の幅方向に移動することにより、切欠部(18)を突起(17)の上に到達させると共に突起(17)を切欠部(18)に嵌合するように構成されて成ることを特徴とするディスクケースの展示スタンド。
【請求項２】
ソフト格納済の商品としてのディスクを収納したディスクケース(D)を正面向きの姿勢で載置可能とする座板(2)と、座板の前縁に沿って起立する着脱自在な低壁部材(4)とを備えた展示スタンドであり、
座板(2)の幅方向に間隔をあけて開設した嵌合孔(15)(15)に対して、低壁部材(4)の基板部(4a)の下面に設けた嵌合片(16)(16)を嵌合する構成とされ：前記嵌合孔(15)は、相互に連通する幅広部(15a)と幅狭部(15b)を座板(2)の幅方向に向けて連設し、前記嵌合片(16)は、前記幅狭部(15b)に挿通自在な脚部(16a)と、該脚部(16a)の下面に連設され前記幅広部(15a)に挿通自在であるが前記幅狭部(15b)に挿通不能な平板部(16b)とを備え、前記平板部(16b)を幅広部(15a)に挿通した状態から低壁部材(4)を座板(2)の幅方向に移動することにより、脚部(16a)を幅狭部(15a)に圧入すると共に、平板部(16b)を幅狭部(15b)の下面に抜止状に掛止するように構成されており、
更に、前記嵌合孔(16)(16)の間において座板(2)から上方に突出する突起(17)に対して、前記嵌合片(16)(16)の間において低壁部材(4)の基板部(4a)に設けた切欠部(18)を嵌合せしめる構成とされ：前記平板部(16b)を幅広部(15a)に挿通した状態で突起(17)を基板部(4a)の下面に当接し該基板部(4a)を変形させ、低壁部材(4)を座板(2)の幅方向に移動することにより、切欠部(18)を突起(17)の上に到達させると共に突起(17)を切欠部(18)に嵌合するように構成されて成ることを特徴とするディスクケースの展示スタンド。
【発明の詳細な説明】
【０００１】
【発明の属する技術分野】
本発明は、ソフト格納済の商品としてのディスクを収納したディスクケースを正面向きの姿勢で展示せしめる展示スタンドに関する。
【０００２】
【従来の技術】
従来、音楽等を録音したＣＤや、映画等を録画したＤＶＤのようなソフト格納済の商品としてのディスクは、ディスクケースに収納された状態で、販売店やレンタルショップにおいて展示され陳列される。
【０００３】
商品を販売又はレンタルに供するに際し、商品を収納したディスクケースは、店舗において陳列棚の上に横並び状（横向き積層状）に載置することにより展示され陳列される。従って、顧客は、展示されたディスクケースの背表紙の部分に表示されたタイトル等を識別することにより、商品を選択する。
【０００４】
【発明が解決しようとする課題】
ところで、例えば新作の商品等、店舗において特定の商品をピーアールするためには、前述のようにディスクケースを横並び状態で展示するだけでは不十分であり、ディスクケースを正面向きの姿勢で陳列し、ディスクケースの内側に添設されたジャケットを視認し易いように展示する必要がある。
【０００５】
この点に関して、従来においては、合成樹脂板を折曲成形した展示スタンドが提供されているが、従来の展示スタンドは、一枚の合成樹脂板を折曲することにより座板と背板を一体に成形した構成であるため、保管又は運搬のために嵩張るという問題がある。
【０００６】
【課題を解決するための手段】
本発明は、第一に、ソフト格納済の商品としてのディスクを収納したディスクケースを正面向きの姿勢で載置可能とする座板と、座板の後縁に沿って起立する着脱自在な高壁部材とを備えた展示スタンドに関して、座板と高壁部材の着脱構造を提供するものであり、その手段として構成したところは、座板の幅方向に間隔をあけて開設した嵌合孔に対して、高壁部材の基板部の下面に設けた嵌合片を嵌合する構成とされ：前記嵌合孔は、相互に連通する幅広部と幅狭部を座板の幅方向に向けて連設し、前記嵌合片は、前記幅狭部に挿通自在な脚部と、該脚部の下面に連設され前記幅広部に挿通自在であるが前記幅狭部に挿通不能な平板部とを備え、前記平板部を幅広部に挿通した状態から高壁部材を座板の幅方向に移動することにより、脚部を幅狭部に圧入すると共に、平板部を幅狭部の下面に抜止状に掛止するように構成されており、更に、前記嵌合孔の間において座板から上方に突出する突起に対して、前記嵌合片の間において高壁部材の基板部に設けた切欠部を嵌合せしめる構成とされ：前記平板部を幅広部に挿通した状態で突起を基板部の下面に当接し該基板部を変形させ、高壁部材を座板の幅方向に移動することにより、切欠部を突起の上に到達させると共に突起を切欠部に嵌合するように構成されて成る点にある。
【０００７】
本発明は、第二に、ソフト格納済の商品としてのディスクを収納したディスクケースを正面向きの姿勢で載置可能とする座板と、座板の前縁に沿って起立する着脱自在な低壁部材とを備えた展示スタンドに関して、座板と低壁部材の着脱構造を提供するものであり、その手段として構成したところは、座板の幅方向に間隔をあけて開設した嵌合孔に対して、低壁部材の基板部の下面に設けた嵌合片を嵌合する構成とされ：前記嵌合孔は、相互に連通する幅広部と幅狭部を座板の幅方向に向けて連設し、前記嵌合片は、前記幅狭部に挿通自在な脚部と、該脚部の下面に連設され前記幅広部に挿通自在であるが前記幅狭部に挿通不能な平板部とを備え、前記平板部を幅広部に挿通した状態から低壁部材を座板の幅方向に移動することにより、脚部を幅狭部に圧入すると共に、平板部を幅狭部の下面に抜止状に掛止するように構成されており、更に、前記嵌合孔の間において座板から上方に突出する突起に対して、前記嵌合片の間において低壁部材の基板部に設けた切欠部を嵌合せしめる構成とされ：前記平板部を幅広部に挿通した状態で突起を基板部の下面に当接し該基板部を変形させ、低壁部材を座板の幅方向に移動することにより、切欠部を突起の上に到達させると共に突起を切欠部に嵌合するように構成されて成る点にある。
【０００９】
【発明の実施の形態】
以下図面に基づいて本発明の好ましい実施形態を詳述する。
【００１０】
（展示スタンドの基本的構成）
図１に示すように、展示スタンド１は、ソフト格納済の商品としてのディスクを収納したディスクケースＤを正面向きの姿勢で起立支持せしめるものであり、ディスクケースＤを載置可能とする座板２と、座板２の後縁に沿って起立する着脱自在な高壁部材３と、座板２の前縁に沿って起立する着脱自在な低壁部材４とを備え、更に、高壁部材３と低壁部材４の間に位置して座板２に着脱自在に立設される仕切部材５とを備えている。
【００１１】
座板２は、合成樹脂により平面視ほぼ矩形に形成され、その幅をディスクケースＣとほぼ同幅又はやや広幅に形成されている。図例の場合、座板２は、透明に形成されているが、不透明に形成しても良い。
【００１２】
高壁部材３と低壁部材４は、合成樹脂製の透明板（半透明板を含む）により形成されており、それぞれ座板２の後縁及び前縁に沿わしめられる基板部３ａ、４ａから起立する起立壁３ｂ、４ｂを備え、起立壁３ｂ、４ｂの両側縁に添設手段３ｃ、４ｃを設けている。高壁部材３の起立壁３ｂは、ディスクケースＤの高さとほぼ同高の矩形状に形成されており、低壁部材４の起立壁４ｂは、それよりも相当に低く形成され横長矩形形状に形成されている。尚、高壁部材３は、基板部３ａに対して起立壁３ｂを直交状に起立せしめているが、低壁部材４は、基板部４ａに対して起立壁４ｂを後傾状に傾斜して起立せしめている。
【００１３】
高壁部材３の起立壁３ｂは、添設手段３ｃを介して高シート６が着脱自在に添設される構成とされている。高シート６は、起立壁３ｂのほぼ全面にわたる大きさの矩形シートから構成され、その表面には、上欄に上欄情報７を印刷等により表示すると共に、下欄に下欄情報８を印刷等により表示しており、更に、その裏面には、裏面情報９を印刷等により表示している。
【００１４】
低壁部材４の起立壁４ｂは、添設手段４ｃを介して低シート１０が着脱自在に添設される構成とされている。低シート４は、起立壁４ｂのほぼ全面にわたる大きさの横長矩形シートから構成され、その表面には、表面情報１１を印刷等により表示している。
【００１５】
高シート６を着脱自在に添設せしめる高壁部材３の添設手段３ｃは、起立壁３ｂの両側縁からほぼ直交状に折曲されたリブ壁３ｄと、該リブ壁３ｄから起立壁３ｂの前面に向けて膨出する円弧状の係止片３ｅを備えた構成とされており、高シート６を起立壁３ｂの前面に重ね合わせたとき、高シート６の左右側縁が一対の係止片３ｅ、３ｅに係止される構成とされている。尚、図示実施例において、左右の係止片３ｅ、３ｅは、上下２段に設けられている。
【００１６】
低シート１０を着脱自在に添設せしめる低壁部材４の添設手段４ｃは、起立壁４ｂの両側縁からほぼ直交状に折曲されたリブ壁４ｄと、該リブ壁４ｄから起立壁４ｂの背面に向けて膨出する円弧状の係止片４ｅを備えた構成とされており、低シート１０を起立壁４ｂの背面に重ね合わせたとき、低シート１０の左右側縁が一対の係止片４ｅ、４ｅに係止される構成とされている。
【００１７】
仕切部材５は、左右一対の支柱１２、１２の上部を帯壁１５ａにより架設したほぼ門形状に形成されており、帯壁１５ａには任意情報１３を表示可能である。仕切部材５を着脱自在に挿着せしめるため、座板２の両側縁近傍部には、高壁部材３と低壁部材４の間に位置して、複数の挿着手段１４が間隔をあけて配設されている。
【００１８】
（展示スタンドの通常の使用例）
図２（Ａ）は、展示スタンド１の通常の使用例を示しており、高壁部材３の起立壁３ｂに添設された高シート６は、上欄情報７として商品に関するメッセージその他の販促情報を表示しており、また、下欄情報９として例えば「品切れ中」又は「しばらくお待ち下さい」のような商品が欠乏している旨を顧客に知らしめる品切れメッセージ情報を表示している。更に、低壁部材４の起立壁４ｂに添設された低シート１０は、表面情報１１として商品のセールスポイント等の見出し情報を表示している。
【００１９】
上述のように、店舗においては、商品を収納したディスクケースＤを陳列棚の上に横並び状（横向き積層状）に載置することにより展示陳列しているが、新作の商品等、商品を顧客に対してピーアールする場合は、陳列棚の上にスペースをあけた状態で、低壁部材４が正面を向く姿勢として展示スタンド１を設置し、図２（Ａ）に示すように、座板２の上に商品を収納したディスクケースＤを正面向きの姿勢として載置すれば良い。図例の場合、１個のディスクケースＤを示しているが、複数のディスクケースＤを前後に積層状に重ね合わせた状態で座板２に載置することができる。この際、ディスクケースＤが多数個の場合は、仕切部材５を取外しておけば良いが、少数個の場合であってディスクケースＤが高壁部材３に向けて顕著に後傾してしまう場合は、図示のように仕切部材５を挿着せしめることにより、ディスクケースＤを起立状態に支持せしめるのが良い。
【００２０】
この状態で、顧客は、ディスクケースＤの内側に添設されたジャケットを正面から視認するので、商品のピーアール効果に優れ、しかも、正面側からは、高シート６における上欄情報７に表示された販促情報を視認し、更に、低シート１０における表面情報１１に表示された見出し情報を視認する。このため、商品の販売促進に資することができる。
【００２１】
ところで、顧客が商品を購入する等、ディスクケースＤを取り除くことにより、座板２上のディスクケースＤが欠乏したとき、高シート６の下欄情報８に表示された品切れメッセージ情報が現われる。即ち、座板２にディスクケースＤが載置されているとき、下欄情報８は、ディスクケースＤにより隠蔽されることにより正面側から視認困難な状態とされているが、ディスクケースＤが完全に取り除かれると、正面側から視認容易な状態とされる。従って、これにより顧客に対して商品が品切れ状態であることを知らしめることができる。
【００２２】
（商品区分情報を表示する見出しスタンドとしての使用例）
図２（Ａ）は、展示スタンド１の通常の使用例ではなく、商品のジャンル等の商品区分情報を表示するための見出しスタンドとして使用する場合の使用例を示している。上述のように、販売店やレンタルショップにおいては、商品を収納したディスクケースＤを陳列棚の上に横並び状（横向き積層状）に載置するに際し、その商品に格納されたソフト内容（録音された音楽や、録画された映画）に応じてジャンル別に区分けすることにより展示陳列することが行われ、その場合、ジャンルを表示した見出しスタンドが展示棚に付設される。
【００２３】
そこで、展示スタンド１は、図２（Ｂ）に示すように、高壁部材３が正面向きとなるように設置することにより、高シート６の裏面情報９を正面向きに表示せしめることができる。この際、裏面情報９は、例えば録音ＣＤの場合は「演歌」「ジャズ」等の音楽ジャンルを見出し表示し、録画ＤＶＤの場合は「スリラー」「アクション」等の映画ジャンルを見出し表示している。
【００２４】
このため、店舗においては、別途、専用の見出しスタンドを準備しておく必要がなく、展示スタンド１を見出しスタンドとして兼用することができ、コスト減に寄与できるという効果がある。
【００２５】
（高壁部材及び低壁部材の着脱構造）
図３に示すように、高壁部材３及び低壁部材４は、何れも座板２に対して着脱自在であり、このため、座板２には複数の嵌合孔１５、１５が開設され、高壁部材３及び低壁部材４における基板部３ａ、４ａの下面には嵌合片１６、１６が設けられている。更に、嵌合孔１５、１５の間には座板２の上方に突出する突起１７が設けられ、嵌合片１６、１６の間には基板部３ａ、４ａに切欠部１８が設けられている。このような嵌合孔１５と嵌合片１６の組合せと、突起１７と切欠部１８の組合せとから成る着脱構成は、高壁部材３における構成と低壁部材４における構成とが相互に実質的に同じであるから、高壁部材３に関する詳細を図４に示し、低壁部材４に関する詳細は省略している。従って、以下の説明は、低壁部材４の着脱構成にもそのまま適合することを諒解されたい。
【００２６】
図４に示すように、座板２に設けられた嵌合孔１５、１５は、それぞれ相互に連通する幅広部１５ａと幅狭部１５ｂとを備えている。これに対応して、高壁部材３における基板部３ａの下面に設けられた嵌合片１６は、前記幅狭部１５ｂに挿通自在な脚部１６ａと、該脚部１６ａの下面に連設されると共に前記幅広部１５ａに挿通自在な平板部１６ｂとを備えている。この際、脚部１６ａは、両側面にリブ状の膨隆部１６ｃを形成しており、該膨隆部１６ｃを含む脚部１６ａの幅寸法が幅狭部１５ｂの幅寸法にほぼ合致するように形成されている。
【００２７】
そこで、図示のように、嵌合孔１５、１５の幅広部１５ａに対して、嵌合片１６、１６の平板部１６ｂを対面せしめ、高壁部材３を図示矢印Ｖの方向に移動することにより、平板部１６ｂ、１６ｂを幅広部１５ａ、１５ａに挿通せしめた後、次いで、高壁部材３を図示矢印Ｌの方向に移動することにより、脚部１６ａ、１６ａを幅狭部１５ｂ、１５ｂに圧入すれば、平板部１６ｂ、１６ｂが幅狭部１５ｂ、１５ｂの下面に位置せしめられ、嵌合片１６、１６を嵌合孔１５、１５に対して抜止状に固定する。尚、嵌合片１６、１６を嵌合孔１５、１５から抜き取る場合は、上記と逆の作業を行えば良い。
【００２８】
前述のように高壁部材３を図示矢印Ｖの方向に移動した際、突起１７は基板部３ａの下面に当接し、基板部３ａを僅かに変形せしめるが、高壁部材３を図示矢印Ｌの方向に移動すると、切欠部１８が突起１７の上に到達することにより、突起１７を切欠部１８に嵌合せしめる。嵌合片１６、１６を嵌合孔１５、１５から抜き取る場合は、高壁部材３を図示矢印Ｌの反対方向に移動すると、突起１７が切欠部１８から基板部３ａの下側にもぐり込み、高壁部材３の移動を可能ならしめる。
【００２９】
（仕切部材の着脱構造）
図３に示すように、仕切部材５は、座板２に設けた挿着手段１４に対して着脱自在である。図５に示すように、挿着手段１４は、皿穴１９と、座板２の下方に延びるボス座２０を介して皿穴の中心から下方に延びる挿着孔２１を備えており、皿穴１９の内周面には係止突起２２を設けている。尚、ボス座２０は、座板２を陳列棚に設置した際、座板２の下向き周壁２ａと同時に棚板に接当し、座板２を安定載置せしめる。
【００３０】
仕切部材５は、支柱１２、１２の下端近傍にフランジ２３を備え、該フランジ２３の中心から下方に向けて挿入片２４を延長しており、フランジ２３の周面には溝２３ａを形成している。
【００３１】
そこで、仕切部材５の挿入片２４を座板２の挿着孔２１に挿入すると、フランジ２３が皿穴１９に嵌入せしめられると共に、係止突起２２を溝２３ａに嵌合する。仕切部材５を座板２から取外す場合は、支柱１２を引き上げれば、係止突起２２が溝２３ａから外れ、フランジ２３及び挿入片２４を皿穴１９及び挿着孔２１から脱する。
【００３２】
【発明の効果】
請求項１に記載の本発明によれば、ソフト格納済の商品としてのディスクを収納したディスクケースＤを正面向きの姿勢で載置可能とする座板２と、座板２の後縁に沿って起立する着脱自在な高壁部材３とを備えた展示スタンドに関して、座板２と高壁部材３の着脱構造が提供される。この際、着脱構造は、座板２の幅方向に間隔をあけて開設した嵌合孔１５、１５のそれぞれが相互に連通する幅広部１５ａと幅狭部１５ｂを座板２の幅方向に向けて連設し、高壁部材３の基板部３ａの下面に設けた嵌合片１６、１６のそれぞれが、前記幅狭部１５ｂに挿通自在な脚部１６ａと、該脚部１６ａの下面に連設され前記幅広部１５ａに挿通自在であるが前記幅狭部１５ｂに挿通不能な平板部１６ｂとを備えており、前記平板部１６ｂを幅広部１５ａに挿通した状態から高壁部材３を座板２の幅方向に移動することにより、脚部１６ａを幅狭部１５ａに圧入すると共に、平板部１６ｂを幅狭部１５ａの下面に抜止状に掛止する構成であるから、高壁部材３に向けてディスクケースＤがもたれ掛けられる方向に対して交差する方向から嵌合孔１５と嵌合片１６を嵌合固定できるという効果がある。
【００３３】
更に、座板２と高壁部材３の着脱構造は、座板２が嵌合孔１６、１６の間において座板２から上方に突出する突起１７を設け、高壁部材３の基板部３ａが前記嵌合片１６、１６の間において切欠部１８を設けており、前記平板部１６ｂを幅広部１５ａに挿通した状態で突起１７を基板部３ａの下面に当接し該基板部３ａを変形させ、高壁部材３を座板２の幅方向に移動することにより、切欠部１８を突起１７の上に到達させると共に突起１７を切欠部１８に嵌合する構成であるから、高壁部材３に向けてディスクケースＤがもたれ掛けられる方向に対して交差する方向において、嵌合片１６が嵌合孔１５から抜き出されないように好適に固定できるという効果がある。
【００３４】
請求項２に記載の本発明によれば、ソフト格納済の商品としてのディスクを収納したディスクケースＤを正面向きの姿勢で載置可能とする座板２と、座板２の前縁に沿って起立する着脱自在な低壁部材４とを備えた展示スタンドに関して、座板２と低壁部材４の着脱構造が提供される。そして、座板２と低壁部材４の基板部４ａとの間において、請求項１に記載の本発明に関して前述した座板２と高壁部材３の基板部３ａとの間における嵌合構造と同様の効果がある。
【図面の簡単な説明】
【図１】本発明の１実施形態を分解して示す斜視図である。
【図２】本発明の１実施形態の使用例を示しており、（Ａ）は展示スタンドとしての通常の使用例を示す斜視図、（Ｂ）は見出しスタンドとしての使用例を示す斜視図である。
【図３】本発明の１実施形態における高壁部材と底壁部材並びに仕切部材の着脱構造を示す斜視図である。
【図４】本発明の１実施形態における高壁部材の着脱構造の詳細を示す拡大斜視図である。
【図５】本発明の１実施形態における仕切部材の着脱構造の詳細を示す拡大斜視図である。
【符号の説明】
１    展示スタンド
２    座板
３    高壁部材
３ｃ  添設手段
４    低壁部材
４ｃ  添設手段
５    仕切部材
６    高シート
７    上欄情報（販促情報）
８    下欄情報（品切れメッセージ情報）
９    裏面情報（商品区分情報）
１０    低シート
１１    表面情報（見出し情報）
１２    支柱
１４    挿着手段
１５    嵌合孔
１６    嵌合片
１７    突起
１８    切欠部
【図１】
0003634822.tif 000002
【図２】
0003634822.tif 000003
【図３】
0003634822.tif 000004
【図４】
0003634822.tif 000005
【図５】
0003634822.tif 000006